(57)【要約】      （修正有）【課題】簡単に便器便座の長さを長くして異なる体型の使用者の要求に応じ、調整作業全体が簡単で実用性を具える調整式便器の便座蓋構造を提供する。【解決手段】組立台を具え、該組立台の中央箇所には便座蓋構造２０を設置し、且つ該組立台の前側設定位置には便座構造を設置する調整式便器の便座蓋構造において、該便座蓋構造は、固定板２１、便座蓋２２、枢設回転板２３及び閉じ蓋２４により構成する。【選択図】図２
0003148629.tif 000002
【実用新案登録請求の範囲】
【請求項１】
組立台を具え、該組立台の中央箇所には便座蓋構造を設置し、且つ該組立台の前側設定位置には便座構造を設置する調整式便器の便座蓋構造において、
該便座蓋構造は、固定板、便座蓋、枢設回転板及び閉じ蓋から構成され、そのうち、
該固定板は、縦方向で該組立台の中央設定位置に差し込み、且つ該固定板は該便座蓋の底面に固定し、また該便座蓋の最上面一側の中央位置には二本の相対する差込レールを設置し、該差込レールの間には案内傾斜塊を具え、且つ該差込レールに該枢設回転板を差し込んで設置し、該枢設回転板の両側にはそれぞれ枢設柱を具え、各枢設柱は該組立台の中央設定位置に枢設して該便座蓋を回転させ、且つ該枢設回転板は該便座蓋の差込レールの一側に、それぞれ二つの差込片を具え、該差込片の間には掛合片を具え、また該枢設回転板は該差込片で該便座蓋の差込レール内に差し込み設置し、該便座蓋の案内傾斜塊を掛合片の底面で押し、該閉じ蓋は蓋合定位於該便座蓋の差込レール最上面で合わせて定位し、
該便座構造は、上面便座、裏面便座、二つの固定片、Ｌ字型の二つの支持枠及び下向き「コ」の字型の二つの固定板から構成され、そのうち、
該上面便座及び裏面便座は、合わせて固定設置し、該裏面便座の設定位置にはそれぞれ該二つの固定片を固定し、該二つの固定片の最上面はそれぞれ該二つの支持枠を設置し、該二つの支持枠の両側はそれぞれ滑動レールを具え、且つ該二つの支持枠の設定位置は、それぞれ横方向の二つの定位孔に設置し、該二つの定位孔の間には該二つの定位孔と連通する案内槽を具え、また該二つの支持枠の最上端はそれぞれ該組立台の前側設定位置に枢設し、更に該二つの支持枠の該二つの固定片の最上面に相対する位置にはそれぞれ該固定板を設置し、該二つの固定板はそれぞれ二つの固定片と固定し、且つ該二つの固定板の底面は各々凹んだ滑動レールを具え、及び設定位置には横向きの定位バネ片を具え、該滑動レールは該支持枠の滑動レール上に設置し、差込ピンを該固定板の定位バネ片及び該支持枠の定位孔に差し込んで設置することを特徴とする調整式便器の便座蓋構造。
【請求項２】
前記便座蓋構造の差込レールは、Ｌ字型であることを特徴とする請求項１記載の調整式便器の便座蓋構造。
【請求項３】
前記枢設回転板の二つの差込片は、最上面の設定位置にそれぞれ凸粒を凸設し、該枢設回転板を該二つの差込片で該便座蓋の二つの差込レールに差し込んで設置すると、各凸粒は得以それぞれ該二本の差込レールの設定位置で押さえることを特徴とする請求項１記載の調整式便器の便座蓋構造。
【請求項４】
前記調整式便器の便座蓋構造は、更にリモコン及びセンサーを含み、該センサーは該上面便座の底面設定位置に設置し、該リモコンは使用者が操作することを特徴とする請求項１記載の調整式便器の便座蓋構造。
【考案の詳細な説明】
【技術分野】
【０００１】
本考案は、調整式便器の便座蓋構造に関するもので、特に一種の便器規格に基づいて便座蓋の長さを延長もしくは短縮する。
【背景技術】
【０００２】
公知の洗浄便座は、清潔好きの人によって温水洗浄に用いられ、細菌感染及び痔瘡発生を予防する。もしくは女性の生理期、妊娠期、産褥期及び普段の洗浄に用いられる。もしくは便秘の人が温水で肛門を洗うことによって刺激を与え、肛門周囲神経系統の血液の循環を促進して便意をもたらし、便をスムーズに排泄するのに用いる。もしくは，歩行が不便な人、例として中風、障害、病人，体の弱い年配者が自分で操作して人の介助を不要とする．．．等々、異なる使用者の異なる求めに応じて使用することが出来る。
【０００３】
しかしながら、多くの使用者は使用時、便座の温度、シャワーの温度、シャワーの強度、便座位置．．．等々機能を操作したい時、操作は便座横にあるため、使用者はすべて体を横向きにして操作する必要がある。しかも公知の設計には人の体躯と便器規格に差異があることを考慮していないため、往々にして正確な位置で使用できず、洗浄効果を達成できないこともある。
【０００４】
本考案者は、現在の構造の欠点を鑑み、長年に亘る関連製品の経験から、現在の関連する問題に対して改善方法を考え、幾度にも亘るテスト改良を経て、一種の調整式便器の便座蓋構造を提供することにした。
【特許文献１】特開２００５−４０５５３号公報
【考案の開示】
【考案が解決しようとする課題】
【０００５】
解決しようとする問題点は、人の体躯と便器の規格に差異があるため、正確に使用できず、正確に洗浄できないことがある点である。
【課題を解決するための手段】
【０００６】
本考案は、組立台を具え、組立台の中央箇所には便座蓋構造を設置し、且つ組立台の前側設定位置には便座構造を設置する。便座蓋構造は、固定板、便座蓋、枢設回転板及び閉じ蓋から構成される。また便座構造は、上面便座、裏面便座、二つの固定片、Ｌ字型の二つの支持枠及び下向き「コ」の字型の二つの固定板から構成される。上面便座及び裏面便座は、合わせて組み立て、裏面便座の設定位置には、それぞれ二つの固定片を固定し、二つの固定片の最上面はそれぞれ二つの支持枠を設置する。二つの支持枠両側は、それぞれ滑動レールを具え、且つ二つの支持枠の設定位置には、それぞれ横方向の二つの定位孔を設置する。該二つの定位孔の間には、二つの定位孔と連通する案内槽を具え、また二つの支持枠の最上端には、それぞれ組立台の前側設定位置に枢設する。更に二つの支持枠は、二つの固定片の最上面に相対する位置に、それぞれ固定板を設置する。二つの固定板は、それぞれ二つの固定片と固定し、且つ二つの固定板の底面には、それぞれ凹んだ滑動レール及び横向きの定位バネ片を具え、滑動レールは支持枠の滑動レール上に設置し、差込ピンを固定板の定位バネ片及び支持枠の定位孔に差し込んで設置することを最も主要な特徴とする。
【考案の効果】
【０００７】
本考案の調整式便器の便座蓋構造は、簡単に便器便座の長さを長くして異なる体型の使用者の要求に応じ、調整作業全体が簡単で実用性を具えるという利点がある。
【考案を実施するための最良の形態】
【０００８】
使用者の体型に基づいて便器便座の長さを伸ばして調整する調整式便器の便座蓋構造を提供することを本考案の主な目的とする。
【０００９】
上述の目的のため、本考案は一種の調整式便器の便座蓋構造を提出し、それは組立台を具え、該組立台の中央箇所に便座蓋構造を設置し、且つ該組立台の前側の設定位置には便座構造を設置する。
【００１０】
該便座蓋構造は、固定板、便座蓋、枢設回転板及び閉じ蓋から構成される。
【００１１】
該固定板は、縦方向で該組立台の中央設定位置に差し込み、且つ該固定板は該便座蓋の底面に固定する。また該便座蓋の最上面一側の中央位置には二本の相対する差込レールを設置し、該差込レールの間には一案内傾斜塊を具え、且つ該差込レールには該枢設回転板を挿入して設置する。該枢設回転板の両側は、それぞれ枢設柱を具え、各枢設柱は、該組立台の中央設定位置に枢設して該便座蓋を回転させ、且つ該枢設回転板は該便座蓋の差込レール一側に向けて、それぞれ差込片を具える。該差込片の間には掛合片を具え、該枢設回転板は、該二つの差込片で該便座蓋の二本の差込レール内に挿入設置し、該便座蓋の案内傾斜塊を該掛合片の底面で押さえ、また該閉じ蓋は該便座蓋の差込レール最上面で閉じて定位する。
【００１２】
該便座構造は上面便座、裏面便座、二つの固定片、Ｌ字型の二つの支持枠及び下向き「コ」の字型の二つの固定板から構成される。
【００１３】
該上面便座及び裏面便座は、相互に合わせて固定して組み立てる。該裏面便座の設定位置には、それぞれ該二固定片を固定し、該二固定片の最上面はそれぞれ該二支持枠を設置する。該二支持枠の両側は、それぞれ一滑動レールを具え、且つ該二支持枠の設定位置には、それぞれ横方向の二定位孔を設置し、該二定位孔の間には該二定位孔と連通する一案内槽を具える。該二支持枠の最上端は、それぞれ該組立台の前側の設定位置に枢設し、且つ該二支持枠の該二固定片の最上面が当たる相對位置には、それぞれ該固定板を設置し、該二固定板はそれぞれ該二固定片と固定し、更に該二固定板の底面にはそれぞれ一凹陷の滑動レールを具え、更に設定位置には一横向きの定位バネ片を具える。該滑動レールは該支持枠の滑動レール上に設置し、一差込ピンを該固定板の定位バネ片及び該支持枠の定位孔に差し込む。
【００１４】
そのうち，該便座蓋構造の差込レールは、Ｌ字型である。
そのうち，該枢設回転板の二つの差込片の最上面設定位置は、それぞれ凸粒を凸設し、該枢設回転板を該二つの差込片で該便座蓋の二本の差込レールに差し込むと、各凸粒はそれぞれ該二本の差込レールの設定位置で押さえる。
【００１５】
本考案は、更にリモコン及びセンサーを含み、該センサーは該上面便座の底面設定位置に設置し、該リモコンは使用者が操作する。
本考案は、更に加熱部品を含み、該加熱部品は該上面便座の底面設定位置に設置する。
【００１６】
以下は、本考案の良好な実施例の図式を説明したもので、本考案の関連領域に習熟するものが本説明書に基づき実施することが出来るようにする。
【００１７】
先ず、第一図から第７図に示すとおり、本考案は一種の調整式便器の便座蓋構造で、組立台１０を具え、該組立台１０の中央箇所には便座蓋構造２０を設置し、且つ該組立台１０の前側の設定位置には便座構造３０を設置する（第一図参照）。
【００１８】
該便座蓋構造２０は、固定板２１、便座蓋２２、枢設回転板２３及び閉じ蓋２４から構成される。
【００１９】
該固定板２１は、該組立台１０の中央設定位置に縦方向に差し込み、且つ該固定板２１を該便座蓋２２の底面に固定する。また該便座蓋２２の最上面一側の中央位置には二つの相対した差込レール２２１を設置し、該差込レール２２１の間には案内傾斜塊２２２を具え、且つ該差込レール２２１に該枢設回転板２３を差し込む。該枢設回転板２３の両側にはそれぞれ枢設柱２３１を具え、各枢設柱２３１は該組立台１０の中央設定位置に枢設し、該便座蓋２２を枢設回転させる。更に該枢設回転板２３は該便座蓋２２の差込レール２２１の一側向きにそれぞれ差込片２３２を具え、該差込片２３２の間には掛合片２３３を具える。また該枢設回転板２３の該差込片２３２は該便座蓋２２の差込レール２２１内に差し込み、該便座蓋２２の案内傾斜塊２２２を該掛合片２３３の底面（第四図参照）で押さえて掛合し、該閉じ蓋２４は該便座蓋２２の差込レール２２１最上面に閉じて定位する。
【００２０】
該便座構造３０は、上面便座３１、裏面便座３２、二つの固定片３３、Ｌ字型の二つの支持枠３４及び下向き「コ」の字型の二つの固定板３５から構成される。
【００２１】
該上面便座３１及び裏面便座３２は、相互に合わせて固定して組み立て、該裏面便座３２の設定位置は、それぞれ該二つの固定片３３を固定する。該二つの固定片３３の最上面は、それぞれ該二つの支持枠３４を設置し、該二つの支持枠３４の両側は、それぞれ滑動レール３４１を具え、且つ該二つの支持枠３４の設定位置には、それぞれ横方向の二つの定位孔３４２を設置し、該二つの定位孔３４２の間には該二つの定位孔３４２と連通する案内槽３４３を具え、該二つの支持枠３４の最上端は、それぞれ該組立台１０の前側設定位置に枢設する。更に該二つの支持枠３４は該二つの固定片３３の最上面に相対する位置に、それぞれ該固定板３５を設置し、該二つの固定板３５は、それぞれ該二つの固定片３３と固定し、且つ該二つの固定板３５の底面には、それぞれ凹んだ滑動レール３５１を具え、及び設定位置には横向きの定位バネ片３５２を具える。該滑動レール３５１は、該支持枠３４の滑動レール３４１上に設置し、差込ピン（図未提示）を該固定板３５の定位バネ片３５２及び該支持枠３４の定位孔３４２に差し込む。
【００２２】
そのうち，該便座蓋構造２０の差込レール２２１は、Ｌ字型である。
【００２３】
そのうち，該枢設回転板２３の二つの差込片２３２最上面の設定位置には、それぞれ凸粒２３４を凸設し、該枢設回転板２３の該二つの差込片２３２を該便座蓋２２の二つの差込レール２２１に差し込むと、各凸粒２３４がそれぞれ該二つの差込レール２２１の設定位置（第五図に示す）で押さえる。
【００２４】
本考案は、更にリモコン４０及びセンサー５０を含む。該センサー５０は、該上面便座３１の底面設定位置に設置し、該リモコン４０は、使用者が操作するのに用いる（例として第一図から第三図参照）。
【００２５】
以上の組立構成によって、第一図から第七図に示すとおり、使用者が便座蓋２２の長さを調整したい時，便座蓋２２を上に引き上げるだけで、便座蓋２２の案内傾斜塊２２２が掛合片２３３の底面設定位置を押さえ、便器便座蓋が伸び、異なる使用者の要求に対応する。
【００２６】
この他、使用者が便座の長さを調整したい時、便座を前向きに引くだけで、固定板３５の定位バネ片３５２上の差込ピン（図未提示）が支持枠３４のうちの定位孔３４２から支持枠３４の案内槽３４３を通り、支持枠３４の別の定位孔３４２へ移動する。このようにして簡単に便器便座の長さを長くして異なる体型の使用者の要求に応じ、調整作業全体が簡単で実用性を具える。
【００２７】
更に、本考案のリモコン４０は接着、掛着もしくは使用者が手で握る方式を用い、使用者が操作しやすい位置に設置して使用者の便利性を達成する。
【００２８】
上述のとおり、本考案の調整式便器の便座蓋構造は、公知の数々の欠点を有効に改善し、且つ本考案の主な技術手段は如何なる関連刊行物にも見られないことから、実用新案登録の申請要件に符合し、申請する。
【図面の簡単な説明】
【００２９】
【図１】本考案の実施例を設置した立体外観指示図である。
【図２】本考案の便座蓋構造の立体分解指示図である。
【図３】本考案の便座蓋構造の局部拡大立体分解指示図である。
【図４】本考案の便座蓋構造の組立断面指示図である。
【図５】本考案の便座蓋構造の別一組の立体断面指示図である。
【図６】本考案の便座構造の立体分解指示図である。
【図７】本考案の便座構造の局部拡大立体分解指示図である。
【符号の説明】
【００３０】
１０        組立台
２０        便座蓋構造
２１        固定板
２２        便座蓋
２２１        差込レール
２２２        案内傾斜塊
２３        枢設回転板
２３１        枢設柱
２３２        差込片
２３３        掛合片
２３４        凸粒
２４        閉じ蓋
３０        便座構造
３１        上面便座
３２        裏面便座
３３        固定片
３４        支持枠
３４１        滑動レール
３４２        定位孔
３４３        案内槽
３５        固定板
３５１        滑動レール
３５２        定位バネ片
４０        リモコン
５０        センサー
【図１】
0003148629.tif 000003
【図２】
0003148629.tif 000004
【図３】
0003148629.tif 000005
【図４】
0003148629.tif 000006
【図５】
0003148629.tif 000007
【図６】
0003148629.tif 000008
【図７】
0003148629.tif 000009
【手続補正書】
【提出日】平成20年12月8日(2008.12.8)
【手続補正１】
【補正対象書類名】実用新案登録請求の範囲
【補正対象項目名】全文
【補正方法】変更
【補正の内容】
【実用新案登録請求の範囲】
【請求項１】
組立台を具え、該組立台の中央箇所には便座蓋構造を設置し、且つ該組立台の前側設定位置には便座構造を設置する調整式便器の便座蓋構造において、
該便座蓋構造は、固定板、便座蓋、枢設回転板及び閉じ蓋から構成され、そのうち、
該固定板は、縦方向で該組立台の中央設定位置に差し込み、且つ該固定板は該便座蓋の底面に固定し、また該便座蓋の最上面一側の中央位置には二本の相対する差込レールを設置し、該差込レールの間には案内傾斜塊を具え、且つ該差込レールに該枢設回転板を差し込んで設置し、該枢設回転板の両側にはそれぞれ枢設柱を具え、各枢設柱は該組立台の中央設定位置に枢設して該便座蓋を回転させ、且つ該枢設回転板は該便座蓋の差込レールの一側に、それぞれ二つの差込片を具え、該差込片の間には掛合片を具え、また該枢設回転板は該差込片で該便座蓋の差込レール内に差し込み設置し、該便座蓋の案内傾斜塊を掛合片の底面で押し、該閉じ蓋は蓋合定位於該便座蓋の差込レール最上面で合わせて定位し、  該便座構造は、上面便座、裏面便座、二つの固定片、Ｌ字型の二つの支持枠及び下向き「コ」の字型の二つの固定板から構成され、そのうち、
該上面便座及び裏面便座は、合わせて固定設置し、該裏面便座の設定位置にはそれぞれ該二つの固定片を固定し、該二つの固定片の最上面はそれぞれ該二つの支持枠を設置し、該二つの支持枠の両側はそれぞれ滑動レールを具え、且つ該二つの支持枠の設定位置は、それぞれ横方向の二つの定位孔に設置し、該二つの定位孔の間には該二つの定位孔と連通する案内槽を具え、また該二つの支持枠の最上端はそれぞれ該組立台の前側設定位置に枢設し、更に該二つの支持枠の該二つの固定片の最上面に相対する位置にはそれぞれ該固定板を設置し、該二つの固定板はそれぞれ二つの固定片と固定し、且つ該二つの固定板の底面は各々凹んだ滑動レールを具え、及び設定位置には横向きの定位バネ片を具え、該滑動レールは該支持枠の滑動レール上に設置し、差込ピンを該固定板の定位バネ片及び該支持枠の定位孔に差し込んで設置することを特徴とする調整式便器の便座蓋構造。
【請求項２】
前記便座蓋構造の差込レールは、Ｌ字型であることを特徴とする請求項１記載の調整式便器の便座蓋構造。
【請求項３】
前記枢設回転板の二つの差込片は、最上面の設定位置にそれぞれ凸粒を凸設し、該枢設回転板を該二つの差込片で該便座蓋の二つの差込レールに差し込んで設置すると、各凸粒はそれぞれ該二本の差込レールの設定位置で押さえることを特徴とする請求項１記載の調整式便器の便座蓋構造。